(57)【要約】【課題】酒を注ぐと同時に酒類をまろやかにするビン酒のデキャンティング装置の提供。【解決手段】注ぎ管１、通気管２、キャップ３、下遮蔽蓋等部品４から構成し、下遮蔽蓋の複数の環状凸縁４３１によってビン酒のビン口内にしっかりと挿入固定し、注ぎ管内にアルカリ性鉱石、電気石などのフィルター材５を充填し、注ぎ管外周に磁化装置６を設けることにより、ビンから注がれた酒を注ぐ際にこれらを作用させてまろやかな味とする。【選択図】図２
0003181101.tif 000002
【実用新案登録請求の範囲】
【請求項１】
注ぎ管、通気管、キャップ、下遮蔽蓋から構成されるビン酒のデキャンティング装置において、
上記注ぎ管は、上端と下端に上網蓋と下網蓋をそれぞれ接合固定してそれらの間にアルカリ性フィルター材を収容し、
上記通気管は、上記注ぎ管の外周一側に沿って配置され、注ぎ管と共に上記キャップを挿通してビンの内外を連通して、通気管端がキャップ上端面から開口し、
上記キャップは、差込孔を具えて上記注ぎ管及び通気管を挿通すると共に、上端面の円外周縁に下向きに環形壁を延長形成し、
上記下遮蔽蓋は弾性を備えたゴム、シリコンもしくはプラスチック材質から構成され、その上端が上記キャップの環形壁と嵌合して結合され、
上記注ぎ管及び通気管を挿通する第一嵌合溝及び第一嵌合溝と相互に連通する第二嵌合溝を具えて上記注ぎ管及び通気管を挿通し、さらにその外周には間隔を開けて環状凸縁を複数設置して、ビンの開口に締結固定せしめる、
ことを特徴とするビン酒のデキャンティング装置。
【請求項２】
前記注ぎ管の上方には、更に磁化装置を設置し、該磁化装置は注ぎ管の相対する両側に設置した二個の磁極が相反する磁性塊からなり、且つ該二個の磁性塊は管体で覆われて該管体は注ぎ管と接合固定されることを特徴とする請求項１記載のビン酒のデキャンティング装置。
【請求項３】
前記アルカリ性フィルターは、アルカリ性鉱石、電気石もしくは微量元素を含む鉱石から選択することを特徴とする請求項１記載のビン酒のデキャンティング装置。
【請求項４】
前記注ぎ管の上網蓋と下網蓋は、複数の穿孔を各々備えることを特徴とする請求項１記載のビン酒のデキャンティング装置。
【考案の詳細な説明】
【技術分野】
【０００１】
本考案は、ビン酒のデキャンティング装置に関するもので、ビン酒のビン口内に設置するだけで、酒を注ぐと同時にビン酒の酒を瞬時に飲みやすくするデキャンティング装置に係わる。
【背景技術】
【０００２】
酒を注ぐ時に、酒ビンを傾ける角度が大きすぎて酒が溢れ出たり、噴き出したりしてしまうことがあり、それによって不必要な浪費や面倒が発生することがある。それらの問題を解決するため、市場でデキャンタが販売される。それはゴムをビン酒のビン口に嵌入することで、スムーズに酒を注ぐことができる。
【先行技術文献】
【特許文献】
【０００３】
【特許文献１】特開平６−３０７５８号公報
【考案の概要】
【考案が解決しようとする課題】
【０００４】
解決しようとする問題点は、この種のデキャンティングポアラーは単純に酒を注ぎやすくする機能を備えているだけである。そのため、本考案者は構造が簡単で、取付がしやすく、酒を注ぐと同時に酒がまろやかになる機能を備えるデキャンティング装置を提供する。
【課題を解決するための手段】
【０００５】
本考案は、注ぎ管、通気管、キャップ、下遮蔽蓋等部品を含んで構成する。これらによって、下遮蔽蓋の複数の環状凸縁をビン酒のビン口内にしっかりと挿入することで、酒を注いだ時、ビン酒内の酒がスムーズに注ぎ管から流れ出ると同時にアルカリ性フィルターによって酒を瞬時にまろやかにする目的を達成し、且つ注ぎ管の上方に更に磁化装置を設置し、酒を更に飲みやすくして品質を高めることを最も主要な特徴とする。
【考案の効果】
【０００６】
本考案のビン酒のデキャンティング装置は、酒を注ぐと同時に各種の酒類をまろやかにするという効果がある。
【図面の簡単な説明】
【０００７】
【図１】本考案の実施例の組立断面図である。
【図２】本考案の実施例の別角度からの組立断面図である。
【図３】本考案の実施例の分解斜視図である。
【図４】本考案の実施例の斜視図である。
【考案を実施するための形態】
【０００８】
酒を注ぐ時にアルカリ性フィルターによって瞬時に酒をまろやかにしてデキャンティングの目的を達成して酒の品質を高めるビン酒のデキャンティング装置を提供することを本考案の主な目的とする。
【０００９】
デキャンタの機能を兼備するビン酒のデキャンティング装置を提供することを本考案の次の目的とする。
【００１０】
キャップの環形壁と下遮蔽蓋の支持壁を嵌合することによって、相対して安定した定位効果を備えて緩みを防止するビン酒のデキャンティング装置を提供することを更に別の目的とする。
【００１１】
磁化装置によって酒を注ぐ時に更に酒をまろやかにするビン酒のデキャンティング装置を提供することを本考案の別の目的とする。
【実施例】
【００１２】
図１から図４に示すとおり、本考案のビン酒のデキャンティング装置は、酒を注ぐと同時に各種の酒類をまろやかにするデキャンティング装置であり、それは以下の構成からなる。
【００１３】
注ぎ管１は、その上端と下端に溶接もしくは締着等の接合構造で上網蓋１１と下網蓋１２をそれぞれ接合固定する。該上網蓋１１と下網蓋１２は、複数の穿孔１１１、１２１(図２参照)をそれぞれ備え、該注ぎ管１の上、下網蓋１１、１２の間には複数個のアルカリ性フィルター５を納置する。更に、注ぎ管１の一側には溶接もしくは、その他接合方法で通気管２を接合固定する，前述のアルカリ性フィルター５はアルカリ性鉱石、電気石もしくは微量元素を含む鉱石から選択する。
【００１４】
通気管２は、注ぎ管１の一側に接合固定し、該注ぎ管１と共にキャップ３に挿入設置し、溶接もしくは、その他接合方法で該キャップ３と接合固定する。 
【００１５】
キャップ３は、差込孔３１を備えて、そこに注ぎ管１と通気管２を挿入し、該注ぎ管１と通気管２を接合固定し、通気管２の上端２１(図２参照)がキャップ３の上端面３０に被さって通気を妨げないようにする。該キャップ３は、更にその上端面３０の円外周縁に下向きに環形壁３２が延長形成される。
【００１６】
下遮蔽蓋４は、弾性を備えたゴム、シリコンもしくはプラスチック材質を採用する。その上方は支持壁４０を備えて、それがキャップ３環形壁３２と嵌合する。該下遮蔽蓋４は、更に第一嵌合溝４１及び第一嵌合溝４１(他、図３参照)と相互に連通する第二嵌合溝４２を備え、該注ぎ管１及び通気管２と対応して嵌合固定する。更に、通気管２の下端２２は第二嵌合溝４２の下端４２１に挿入し、該下遮蔽蓋４は管壁４３を備え、該管壁４３には環状凸縁４３１を間隔を開けて複数設置してビン酒のビン口をきつく締結するのに用いる。 
【００１７】
前述部品の組み合せによって、下遮蔽蓋４の複数の環状凸縁４３１がビン酒的ビン口内できつく締結することによって、酒を注いだ時その周縁から漏れることなくビン酒内の酒が注ぎ管１からスムーズに流れだし、同時にアルカリ性フィルター５によって、酒を瞬時にまろやかにして酒の品質を高める目的を達成する。
【００１８】
更に、図１、図４に示すとおり、前述の注ぎ管１の上方は更に磁化装置６を設置する。該磁化装置６は、注ぎ管１の相対する両側に設置する二個の磁性塊６１、６２を具え、該二個の磁性塊６１、６２の磁極は相反する。更に、該二個の磁性塊６１、６２は管体６０によって覆われ、該管体６０は溶接もしくはその他の方法で注ぎ管１と接合固定する。それにより、酒を注ぐ時、前述の磁化装置６の両磁極の相反する磁性塊６１、６２が酒に対して活性化することで、瞬時に酒をまろやかにする目的を達成する。
【００１９】
上述のとおり、本考案は、以下の長所を備える。酒を注いだ時にアルカリ性フィルター５によって瞬時に酒をまろやかにしてデキャンティングの目的を達成し、酒の品質を高める。さらに磁化装置６によって酒を注いだ時に、瞬時に酒の風味をまろやかにする。一般的なデキャンタ機能を備えるため、注ぐ時に溢れるのを防止する。キャップ３の環形壁３２と下遮蔽蓋４の支持壁４０が嵌合することによって、安定して固定し、緩むのを防止する。
【符号の説明】
【００２０】
１        注ぎ管
１１        上網蓋
１１１        穿孔
１２１        穿孔
１２        下網蓋
２        通気管
２１        上端
２２        下端
３        キャップ
３０        上端面
３１        差込孔
３２        環形壁
４        下遮蔽蓋
４０        支持壁
４１        第一嵌合溝
４２        第二嵌合溝
４２１        下端
４３        管壁
４３１        突縁
５        アルカリ性フィルター
６        磁化装置
６０        管体
６１        磁性塊
６２        磁性塊
【図１】
0003181101.tif 000003
【図２】
0003181101.tif 000004
【図３】
0003181101.tif 000005
【図４】
0003181101.tif 000006